(57)【要約】【課題】ドラフト装置が、ボトムローラの廉価で、かつ簡単に保守のできる支承部を備えるようにすることである。【解決手段】互いに間隔を保って同軸的に配置された１対のボトムローラ（１５Ａ，１５Ｂ，１５Ｃ）が、それぞれ軸（２０）上に自由に回転可能に支承されており、軸（２０）が、ボトムローラ（１５Ａ，１５Ｂ，１５Ｃ）の間に延在している中間領域（２２）で、ドラフト装置（４）の支持体（１８）に設けられた対応している受容部（１９）内に容易に固定可能、かつ支持体から再び取外し可能に構成されているようにした。【選択図】図２
2008285805.tif 000002
【特許請求の範囲】
【請求項１】
精紡機（１）のためのドラフト装置（４）であって、複数のローラ対が形成されており、該ローラ対がそれぞれ、駆動可能なボトムローラ（１５Ａ，１５Ｂ，１５Ｃ）と、該ボトムローラと対応して自由に回転可能に支承されたトップローラとを有していて、ドラフト装置（４）が、２つのドラフト装置作業部（１４）を有している形式のものにおいて、互いに間隔を保って同軸的に配置された１対のボトムローラ（１５Ａ，１５Ｂ，１５Ｃ）が、それぞれ軸（２０）上に自由に回転可能に支承されており、軸（２０）が、ボトムローラ（１５Ａ，１５Ｂ，１５Ｃ）の間に延在している中間領域（２２）で、ドラフト装置（４）の支持体（１８）に設けられた対応している受容部（１９）内に容易に固定可能、かつ支持体から再び取外し可能に構成されていることを特徴とする、精紡機のためのドラフト装置。
【請求項２】
ボトムローラ（１５Ａ，１５Ｂ，１５Ｃ）が、個別のローラで動く駆動装置（１６）の駆動シャフトにそれぞれ連結されていることを特徴とする、請求項１記載のドラフト装置。
【請求項３】
ボトムローラ（１５Ａ，１５Ｂ，１５Ｃ）が、駆動シャフトを受容するために連結付設部（１７）を有していることを特徴とする、請求項２記載のドラフト装置。
【請求項４】
ボトムローラ（１５Ａ，１５Ｂ，１５Ｃ）の、個別のモータで動く駆動装置（１６）が、支持体（１８）に固定されていることを特徴とする請求項２または３記載のドラフト装置。
【請求項５】
ボトムローラ（１５Ａ，１５Ｂ，１５Ｃ）が、それぞれベルト車を有していて、該ベルト車を介してボトムローラ（１５Ａ，１５Ｂ，１５Ｃ）が、互いに独立して駆動可能であることを特徴とする請求項１記載のドラフト装置。
【請求項６】
支持体１８が、軸（２０）に設けられた中間領域（２２）に調節された、軸（２０）を受容するための緊締装置を有することを特徴とする、請求項１から５までのいずれか１項記載のドラフト装置。
【発明の詳細な説明】
【技術分野】
【０００１】
本発明は、精紡機のためのドラフト装置であって、複数のローラ対が形成されており、該ローラ対がそれぞれ、駆動可能なボトムローラと、該ボトムローラと対応して自由に回転可能に支承されたトップローラとを有していて、前記ドラフト装置が、２つのドラフト装置作業部を有している形式のものに関する。
【背景技術】
【０００２】
ドイツ連邦共和国特許公開第３９３２６１４号明細書に基づき、２つのドラフト装置作業部を有するこのような形式のドラフト装置が公知である。この空気精紡機のためのドラフト装置には複数のローラ対が形成されている。これらのローラ対はそれぞれ、個別のモータによって駆動可能なボトムローラと、自由に支承されたトップローラとを有している。ドイツ連邦共和国特許公開第３９３２６１４号明細書に基づき、これらのボトムローラはドラフト装置の支持体に配置されていることが明らかであるが、これらのボトムローラがどのように支持体に支承されているかは説明されていない。しかしドラフト装置の製造コストを削減するために、ボトムローラの安定した信頼性の良い支承と、作業者（オペレータ）が容易に到達することができ、かつ容易に交換可能な配置という目的の、保守の簡単な支承とを兼ね備えさせるという点から、ボトムローラの支承部に特別な要求が課されている。
【特許文献１】ドイツ連邦共和国特許公開第３９３２６１４号明細書
【発明の開示】
【発明が解決しようとする課題】
【０００３】
本発明の課題は、冒頭で述べた形式のドラフト装置をさらに改良して、ドラフト装置が、ボトムローラの廉価で、かつ簡単に保守のできる支承部を備えるようにすることである。
【課題を解決するための手段】
【０００４】
この課題を解決するために本発明の構成では、互いに間隔を保って同軸的に配置された１対のボトムローラが、それぞれ軸上に自由に回転可能に支承されており、かつ前記軸が、前記ボトムローラの間に延在している中間領域で、ドラフト装置の支持体に設けられた対応している受容部内に容易に固定可能、かつ支持体から再び取外し可能に構成されているようにした。
【発明の効果】
【０００５】
本発明による別の有利な実施形態は従属項に記載されている。
【０００６】
請求項１では、互いに距離を保って同軸的に配置された１対のボトムローラが、それぞれ軸上に自由に回転可能に支承されており、前記軸が、ボトムローラの間に延在している中間領域で、ドラフト装置の支持体に設けられた対応する受容部内に容易に固定可能、かつ受容部から取外し可能に構成されていることが提案される。本発明による支承、つまり１対のボトムローラを軸上に自由に回転可能に支承することで、規格化された中心軸（Lagerachsen）の使用が可能になった。このような規格化された中心軸は、従来からリング精紡機のドラフト装置のトップローラに用いられている。規格化された中心軸は、比較的単純な構造的な構成と、製造における自動化度と、自動化による高い製造量とから、精紡機のためのドラフト装置のボトムローラの支承用に特別に形成されている旧来の軸と比較して、明らかに廉価である。さらには、この軸の支持体の受容部内への配置によって、所要の保守や修理の際に、ボトムローラのより簡単な交換が達成される。さらに従来からリング精紡機に用いられてきたような機械の全長（maschinenlange）にわたるボトムローラと比較して、下部エプロンおよびボトムローラの交換が簡略化され、かつ廉価になる。というのは、機械の全長にわたるボトムローラを有するリング精紡機において必要とされるような、機械側面の完全な遮断を必要とせずに、下部エプロンおよびボトムローラの交換が実施可能だからである。
【０００７】
ボトムローラはそれぞれ、個別のモータで動く駆動装置の駆動シャフトに連結されると有利である。個別のモータで動く駆動装置によって、ドラフト装置に設けられた２つのドラフト装置作業部を、異なるドラフト比で独立させて制御することが可能である。このような制御は、加工のために取り込まれた非加工材料によって必要とされる場合や、種々異なる繊維で糸を製造する場合に用いられる。
【０００８】
本発明の有利な別の実施形態では、ボトムローラは駆動シャフトの受容のための連結付設部を有してよい。この連結付設部は、交換のためのボトムローラの駆動装置からの容易な取り外しを可能にする。本発明によるドラフト装置では、軸および軸上に配置された中央ローラが簡単に取り外せることで、中央ローラに設けられたエプロンを交換するための労力も同じように低減される。さらにボトムローラの中心軸の構造は、ボトムローラ対と中心軸から成る完成されたボトムローラユニットを、支持体の受容部に嵌め込むための、ボトムローラの前組立を可能にしている。全体的には組立の労力が低減され、この場合、保守作業が、作業者（オペレータ）に扱いやすくなり、素早く実行可能である。
【０００９】
特に、ボトムローラの、個別のモータで動く駆動装置は支持体に固定されてもよい。択一的には、個別のモータで動く駆動装置の回動を防止するために、精紡機の台座に固定装置を設ける、またはひとつのドラフト装置作業部にある駆動装置を互いに結合させる枠を設けてもよい。
【００１０】
択一的な構成では、ボトムローラはそれぞれベルト車を備えても良く、ボトムローラはベルト車を介して、互いに独立させて駆動可能である。
【００１１】
支持体が、軸の中央領域に調節された、軸の収容のための緊締装置を備えると有利である。この緊締装置は、ボトムローラユニットの固定に役立つと同時に、ドラフト装置の稼働中にトップローラが負荷支持体によってボトムローラに押圧されているときに、トップローラからボトムローラ上にかけられた荷重を受容することにも役立つ。
【発明を実施するための最良の形態】
【００１２】
以下に、本発明を実施するための最良の形態を図面につき詳しく説明する。
【００１３】
以下に、本発明によるドラフト装置を空気精紡機１に基づいて説明するが、このドラフト装置はリング精紡機に設置することも可能である。
【００１４】
図１に図示されている空気精紡機１は、多数の、列置された巻返し部２を有している。各巻返し部は、ドラフト装置４にスライバを供給する繰出しパッケージ３として形成されたスライバ源と、精紡機５と、引出しローラ対６と、糸クリアラ７と、糸敷設装置８と、綾巻きパッケージ９として形成された巻取パッケージとを有している。操作キャリッジ１０は巻き返し部２に沿って、レール１１，１２上で案内されて走行可能である。空気精紡機の一方の端部には駆動ユニット１３が配置されている。
【００１５】
図２は、２つのドラフト装置作業部１４を有する、ドラフト装置４の一部破断した概略図である。
【００１６】
ドラフト装置４は、１つの支持体１８を有している。支持体１８には、ドラフト装置作業部１４ごとに複数のローラ対が配置されている。これらのローラ対は駆動可能なボトムローラ１５Ａ，１５Ｂ，１５Ｃと、これらのボトムローラに対応する、自由に回転可能に支承されたトップローラとを有している。ボトムローラ１５Ａ，１５Ｂ，１５Ｃはそれぞれ、個別のモータで動く駆動装置１６によって駆動される。トップローラは、負荷アームによって対応しているボトムローラ１５Ａ，１５Ｂ，１５Ｃに押し当てられて、ボトムローラ１５Ａ，１５Ｂ，１５Ｃにより摩擦によって駆動される。
【００１７】
ボトムローラ１５Ａ，１５Ｂ，１５Ｃの駆動のためには、ボトムローラ１５Ａ，１５Ｂ，１５Ｃは、連結付設部１７を介して個別のモータで動く駆動装置１６に接続している。択一的には、ボトムローラ１５Ａ，１５Ｂ，１５Ｃはベルト車を備えてもよく、この場合、ボトムローラ１５Ａ，１５Ｂ，１５Ｃはベルト車を介して互いに独立して駆動可能である。
【００１８】
図３には、ボトムローラユニットの概略的な部分断面図が示されている。ボトムローラユニットは、互いに間隔を保って、同軸的に配置された１対のボトムローラ１５Ａを有している。これらのボトムローラ１５Ａはそれぞれ軸２０に、自由に回転可能に支承されている。軸２０は中央領域２２を有しており、この中央領域２２は、ボトムローラ１５Ａを受容するための縁領域２１の直径と比較して低減された直径を有している。軸２０の中央領域２２は、ボトムローラユニットがドラフト装置４の支持体１８に設けられた受容部１９内に容易に固定可能、かつ支持体１８から再び容易に取外し可能に構成されている。受容部１９は、支承しようとする軸２０の長手方向軸線と同軸的に支持体１８に配置されていて、ボトムローラユニットを、その取付け位置で形状接続（形状による束縛）的に取り囲んでいる。軸２０は受容部１９内に緊締されて固定されるので、軸２０は容易に固定可能、かつ支持体１８から再び容易に取外し可能である。
【００１９】
ボトムローラ１５Ａの自由に回転可能な支承は、ころがり軸受、特に針状ころ軸受によって達成される。なぜならば、これらの軸受は、外径が小さい点ですぐれているからである。
【００２０】
個別のモータで動く駆動装置との接続は、図２に図示したような連結付設部を介して、またはボトムローラ１５Ａに設けられた孔によって行われる。この場合、ボトムローラ１５Ａがこの孔によって、それぞれの駆動装置１６の駆動シャフト上に固定される。
【図面の簡単な説明】
【００２１】
【図１】空気精紡機を示す概略図である。
【図２】ボトムローラのみを図示した、ドラフト装置の一部破断した概略図である。
【図３】ボトムローラユニットを示した概略的な部分断面図である。
【符号の説明】
【００２２】
１  空気精紡機
２  巻返し部
３  繰出しパッケージ
４  ドラフト装置
５  精紡機
６  引出しローラ
７  糸クリアラ
８  糸敷設装置
９  綾巻きパッケージ
１０  操作キャリッジ
１１  レール
１２  レール
１３  駆動ユニット
１４  ドラフト装置作業部
１５Ａ  ボトムローラ
１５Ｂ  ボトムローラ
１５Ｃ  ボトムローラ
１６  駆動装置
１７  連結付設部
１８  支持体
１９  受容部
２０  軸
２１  縁領域
２２  中央領域
【図１】
2008285805.tif 000003
【図２】
2008285805.tif 000004
【図３】
2008285805.tif 000005